(57)【要約】【課題】構造化されたデータを送受信できる遠隔制御装置を用いて、デジタルコンテンツについての様々な付加情報がより簡単に得られる遠隔制御装置及び制御方法を提供すること。【解決手段】遠隔送受信装置から構造化されたデータを受信し、データに含まれているディスプレイ情報を抽出するデータ送受信部と、抽出されたディスプレイ情報を表示するディスプレイ部とを備え、データ送受信部は、ディスプレイ情報のうち、ユーザにより選択されたディスプレイ情報に対応するメタデータ情報を遠隔送受信装置に転送する遠隔制御装置であることを特徴とする。【選択図】図１
2005045765.tif 000002
【特許請求の範囲】
【請求項１】
遠隔送受信装置から構造化されたデータを受信し、前記データに含まれているディスプレイ情報を抽出するデータ送受信部と、
前記抽出されたディスプレイ情報を表示するディスプレイ部とを備え、
前記データ送受信部は、前記ディスプレイ情報のうち、ユーザにより選択されたディスプレイ情報に対応するメタデータ情報を前記遠隔送受信装置に転送することを特徴とする遠隔制御装置。
【請求項２】
前記遠隔送受信装置は、
文字情報データを受信し、構造化されたデータフォーマットに変換するデータ処理部と、
前記構造化されたデータを前記遠隔制御装置に転送し、かつ、前記遠隔制御装置から受信したメタデータ情報に対応する詳細情報を提供する応用処理部とを備えることを特徴とする請求項１に記載の遠隔制御装置。
【請求項３】
前記メタデータ情報は、画面の位置情報であることを特徴とする請求項１または２に記載の遠隔制御装置。
【請求項４】
前記遠隔制御装置は、双方向の赤外線無線リモコン装置であることを特徴とする請求項１または２に記載の遠隔制御装置。
【請求項５】
遠隔送受信装置が文字情報データを受信し、構造化されたデータフォーマットに変換し、遠隔制御装置に前記構造化されたデータを送信するステップ１と、
前記遠隔制御装置が前記遠隔送受信装置から送信されたデータを受信し、受信したデータに含まれているディスプレイ情報を抽出するステップ２と、
前記遠隔制御装置が前記抽出したディスプレイ情報を表示し、かつ、前記ディスプレイ情報のうち、ユーザにより選択されたディスプレイ情報に対応するメタデータ情報を前記遠隔送受信装置に送信するステップ３と、
前記遠隔送受信装置が前記送信されたメタデータ情報に対応する詳細情報を提供するステップ４とを含むことを特徴とする遠隔制御方法。
【請求項６】
前記メタデータ情報は、画面の位置情報であることを特徴とする請求項５に記載の遠隔制御方法。
【請求項７】
前記遠隔制御装置は、双方向の赤外線無線リモコン装置であることを特徴とする請求項５に記載の遠隔制御方法。
【発明の詳細な説明】
【技術分野】
【０００１】
本発明は、無線信号で制御される被制御機器の制御に関し、より詳しくは、構造化されたデータを送受信できる送受信装置を用い、デジタルコンテンツについての様々な付加情報がより簡単に得られる遠隔制御装置及び制御方法に関する。
【背景技術】
【０００２】
デジタル衛星放送、ケーブル放送、デジタル地上波放送またはＤＶＤのように、オーディオまたはビデオ信号やＥＰＧ、アプリケーションなどのような付加情報を提供する環境において、従来には、前記付加情報についての詳細を確認するためには、リモコンの方向キーやその他のキーを用いて確認動作を行っていた。
【０００３】
しかし、デジタル放送技術の発達に伴い、最近は、前記付加情報の量が増え、複雑化するにつれて、被制御機器を制御するリモコンのキーのみでは前記付加情報に対するサービスを処理しにくくなっていた。
【０００４】
従って、ユーザにとって様々な付加情報またはアプリケーションをより簡単に選択することが可能となり、それによるサービスの提供を受ける必要が出てきた。
【発明の開示】
【発明が解決しようとする課題】
【０００５】
本発明は、上記問題点に鑑みなされたものであり、遠隔送受信装置において、付加情報を構造化されたデータ型に変換し、遠隔制御装置においては、前記構造化されたデータをディスプレイ情報と、該ディスプレイ情報についてのメタデータとに分離して処理することにより、複雑なアプリケーションのうち、ユーザ所望の情報を簡単に選択できる方法を提供することを目的とする。
【課題を解決するための手段】
【０００６】
上記の目的を達成するため、本発明の実施の形態による構造化されたデータフォーマットを用いた遠隔制御装置は、遠隔送受信装置から構造化されたデータを受信し、前記データに含まれているディスプレイ情報を抽出するデータ送受信部と、前記抽出されたディスプレイ情報を表示するディスプレイ部とを備え、前記データ送受信部は、前記ディスプレイ情報のうち、ユーザにより選択されたディスプレイ情報に対応するメタデータ情報を前記遠隔送受信装置に転送する。このとき、前記遠隔送受信装置は、文字情報データを受信し、構造化されたデータフォーマットに変換するデータ処理部と、前記構造化されたデータを前記遠隔制御装置に転送し、かつ、前記遠隔制御装置から受信したメタデータ情報に対応する詳細情報を提供する応用処理部とを備えることを特徴とする。
【０００７】
また、本発明の実施の形態による構造化されたデータフォーマットを用いた遠隔制御方法は、遠隔送受信装置が文字情報データを受信し、構造化されたデータフォーマットに変換し、遠隔制御装置に前記構造化されたデータを送信するステップ１と、前記遠隔制御装置が前記遠隔送受信装置から送信されたデータを受信し、受信したデータに含まれているディスプレイ情報を抽出するステップ２と、前記遠隔制御装置が前記抽出したディスプレイ情報を表示し、かつ、前記ディスプレイ情報のうち、ユーザにより選択されたディスプレイ情報に対応するメタデータ情報を前記遠隔送受信装置に送信するステップ３と、前記遠隔送受信装置が前記送信されたメタデータ情報に対応する詳細情報を提供するステップ４とを含むことを特徴とする。
【０００８】
前記メタデータ情報は、画面の位置情報であり、前記遠隔制御装置は、双方向の赤外線無線リモコン装置であることが好ましい。
【発明の効果】
【０００９】
このような本発明による構造化されたデータフォーマットを用いた遠隔制御装置及び制御方法によれば、データサービスに関連する情報をＸＭＬのような構造化されたデータ型に変換して管理することにより、システムの効率を向上させることができる。また、ＤＴＶのようなディスプレイ装置において、遠隔制御装置の画面を通してデジタルコンテンツについての付加情報などを容易に選択することができ、ユーザの便宜を図ることができる。
【発明を実施するための最良の形態】
【００１０】
以下、本発明の好ましい実施の形態を、添付図面に基づいて詳しく説明する。
図１は、本発明の一実施の形態の遠隔送受信装置及び遠隔制御装置を示す図であり、遠隔送受信装置１００は、文字情報データを受信し、構造化されたデータフォーマットに変換するデータ処理部１０２と、構造化されたデータを遠隔制御装置１１０に転送し、該遠隔制御装置１１０からメタデータ情報を受信し、該メタデータ情報に対応する詳細情報を提供する応用処理部１０４とを備えている。また、前記遠隔制御装置１１０は、遠隔送受信装置１００から構造化されたデータを受信し、前記データに含まれているディスプレイ情報を抽出するデータ送受信部１１４と、前記データ送受信部１１４から抽出されたディスプレイ情報を表示し、ユーザの入力により選択されたディスプレイ情報を前記データ送受信部１１４に伝達するディスプレイ部１１２とを備えている。このとき、前記ディスプレイ情報とは、遠隔送受信装置１００から画面(図示せず)に提供されるテキスト情報を示す。
【００１１】
一般に、ＤＴＶまたは動画像が提供されるディスプレイ装置を備える遠隔送受信装置１００は、デジタル衛星放送、デジタル地上波放送、デジタルケーブル放送、またはＤＶＤのようなデジタルコンテンツ格納媒体などを介してオーディオ及びビデオ信号やテキスト型の様々なアプリケーションまたは付加情報などを提供する。図２には、ドラマに関する付加情報の例を示している。このとき、前記遠隔送受信装置１００のデータ処理部１０２は、テキスト型で提供される付加情報を構造化されたデータに変換する。このとき、構造化されたデータは、ディスプレイ情報と、該ディスプレイ情報に対するメタデータとに構成することができ、構造化されたデータの一例としては、ＸＭＬフォーマットのデータ型が挙げられる。例えば、ドラマについての付加情報を提供する場合、ドラマに登場する人物、ドラマのタイトル、ドラマの放映時間などは、ディスプレイ情報とすることができ、このとき、画面上に付加情報が表示される位置情報をそれぞれのディスプレイ情報についてのメタデータとすることができる。図３は、前記図２に示す付加情報をＸＭＬフォーマットに示す図である。このとき、ＸとＹの座標は、画面の左側上段を(０、０)とし、画面の右側下段をＸとＹのそれぞれに対する最大値としている。
【００１２】
ユーザは、前記付加情報を選択することにより、付加情報に対応する具体的な情報を見ることができる。一方、応用処理部１０４は、前記構造化されたデータを双方向の送受信が可能な赤外線リモコンやブルートゥース、無線ＬＡＮ、ドットネット(.ｎｅｔ) などの無線関連プロトコルによる無線制御装置などを備えた遠隔制御装置１１０に転送する。このとき、遠隔制御装置１１０のデータ送受信部１１４は、受信したデータの中からディスプレイ情報を抽出し、ディスプレイ部１１２では、前記抽出されたディスプレイ情報を表示する。図４には、前記図３に示すデータの中からディスプレイ情報のみを抽出し、遠隔制御装置１１０に表示した場合を示している。
【００１３】
前記ディスプレイ情報が表示されると、ユーザ１２０は、所望の付加情報を選択する。このとき、例えば、タッチスクリーンを用いて、表示される画面にユーザが直接入力したり、あるいは、リモコンキーを用いて選択したりすることができる。ユーザ所望の付加情報が選択されると、前記データ送受信部１１４は、選択された付加情報に対応するメタデータ、例えば、付加情報の位置情報を遠隔送受信装置１００に転送する。
【００１４】
前記遠隔送受信装置１００では、前記メタデータを受信すると、メタデータ情報に対応する詳細情報を表示する。即ち、メタデータ情報が付加情報の位置情報であるとき、該位置情報に該当する付加情報の詳細内容を提供する。
【００１５】
図５は、本発明の他の実施の形態によるＸＭＬを用いた遠隔送受信装置及び遠隔制御装置を示す図であり、図示のように、オープンケーブル（Open cable）を標準プロトコルとするデジタルケーブル放送を例示して説明する。遠隔送受信装置５００は、アウト・オブ・バンド（out-of-band）データを受信するためのＰＯＤ５１０と、ユーザにより選択されたイン・バンド（In-band）信号からセクションを含んでいる各データを分離するＤＥＭＵＸ５０５と、ＰＯＤ５１０やＤＥＭＵＸ５０５を介して分離された各データをＸＭＬフォーマット型のデータに変換し格納するデータ処理部５１５と、変換されたＸＭＬデータ、アプリケーション、かつ、双方向の位置情報を管理するＸＭＬデータ管理部５２５と、各付加情報をユーザに提供するディスプレイ部５２０と、ＸＭＬ型のデータを送受信する第１の赤外線送受信部５３０とを備えている。一方、遠隔制御装置５５０は、双方向の赤外線リモコンであって、ディスプレイ情報や位置情報を有するＸＭＬ型のデータを遠隔送受信装置５００と送受信する第２の赤外線送受信部５６５と、前記ＸＭＬ型のデータをパージングし、該当の位置情報のディスプレイ情報を提供し、ユーザの選択に応じたメタデータの位置情報を前記第２の赤外線送受信部５６５に提供するディスプレイマネージャー５６０と、ディスプレイマネージャー５６０から提供されるディスプレイ情報をユーザ５７０に表示し、ユーザ５７０からの入力を受けるタッチスクリーン５５５とを備えている。
【００１６】
遠隔送受信装置５００は、ユーザにより選択されたイン・バンドチャンネルからセクションデータとアプリケーションデータとを分離するＤＥＭＵＸ５０５と、オープンケーブルホストの場合、ユーザの選択に関わらず、ＰＯＤ５１０とを介して入力されるアウト・オブ・バンドデータを受け取る。 
【００１７】
その後、ＸＭＬデータ処理部５１５は、前記ＤＥＭＵＸ５０５またはＰＯＤ５１０から受信したデータをＸＭＬフォーマットのデータに変換し、ＸＭＬデータ管理部５２５は、別のデータベース(図示せず)を構成し、前記ＸＭＬデータ処理部５１５により変換されたデータを管理する。
【００１８】
ユーザ５７０がリモコンとしての遠隔制御装置５５０を用いてＥＰＧやアプリケーションのようなサービスを選択すると、前記サービスを要求する制御信号が第２の赤外線送受信部５６５を介して第１の赤外線送受信部５３０に伝達される。ＸＭＬデータ管理部５２５は、ユーザにより選択されたサービスをディスプレイ部５２０の画面上に表示させるようにし、次いで、ＸＭＬ型のデータを第１の赤外線送受信部５３０を介して第２の赤外線送受信部５６５に伝達する。
【００１９】
ディスプレイマネージャー５６０は、第２の赤外線送受信部５６５から伝達されたＸＭＬデータをパージングし、位置情報とディスプレイ情報とを分離してタッチスクリーン５５５に表示する。即ち、遠隔送受信装置５００のディスプレイ部５２０と遠隔制御装置５５０のタッチスクリーン５５５とに同じ情報が表示され、ユーザ５７０は、タッチスクリーン５５５を通して前記サービスを操作することができる。 
【００２０】
ユーザ５７０がタッチスクリーン５５５上の特定のディスプレイ情報を選択すると、ディスプレイマネージャー５６０は、選択された情報に対する位置情報を抽出し、第２の赤外線送受信部５６５に伝達する。第２の赤外線送受信部５６５は、前記位置情報を第１の赤外線送受信部５３０に送信し、該位置情報は、さらにＸＭＬデータ管理部５２５に伝達される。ＸＭＬデータ管理部５２５は、伝達された位置情報に該当する詳細情報をディスプレイ部５２０を介してユーザに提供する。
【００２１】
図６は、本発明の実施の形態による遠隔制御方法を示す図であり、遠隔送受信装置をＤＴＶとし、遠隔制御装置をリモコン装置とした場合を、一例として説明する。
【００２２】
ＤＴＶが文字情報データを受信し(Ｓ６００)、構造化されたデータフォーマットに変換し(Ｓ６０５)、リモコン装置に前記構造化されたデータを送信する(Ｓ６１０)。前記リモコン装置が前記ＤＴＶから送信したデータを受信すると、前記受信されたデータに含まれているディスプレイ情報を抽出し、抽出したディスプレイ情報をリモコンのタッチスクリーンに表示する(Ｓ６１５)。ユーザが所望の付加情報を選択すると(Ｓ６２０)、ユーザにより選択されたディスプレイ情報に対応するメタデータ情報を前記ＤＴＶに送信し(Ｓ６２５)、前記ＤＴＶは、受信したメタデータ情報に対応する詳細情報をユーザに提供する(Ｓ６３０)。
【００２３】
以上のように、上記実施の形態を参照して詳細に説明され図示されたが、本発明は、これに限定されるものでなく、このような本発明の基本的な技術的思想を逸脱しない範囲内で、当業界の通常の知識を有する者にとっては、他の多くの変更が可能であろう。また、本発明は、添付の特許請求の範囲により解釈されるべきであることは言うまでもない。
【図面の簡単な説明】
【００２４】
【図１】本発明の実施の形態による遠隔送受信装置及び遠隔制御装置を示す図である。
【図２】本発明の実施の形態による遠隔送受信装置における画面表示を示す図である。
【図３】本発明の実施の形態により遠隔送受信装置が文字情報データをＸＭＬデータに変換した例を示す図である。
【図４】本発明の実施の形態による遠隔制御装置における画面表示を示す図である。
【図５】本発明の他の実施の形態によるＸＭＬを用いた遠隔送受信装置及び遠隔制御装置を示す図である。
【図６】本発明の実施の形態による遠隔制御方法を示す図である。
【符号の説明】
【００２５】
５１５  データ処理部
５２０  ディスプレイ部
５２５  ＸＭＬデータ管理部
５３０  第１の赤外線送受信部
５５５  タッチスクリーン
５６０  ディスプレイマネージャー
５６５  第２の赤外線送受信部
【図１】
2005045765.tif 000003
【図２】
2005045765.tif 000004
【図３】
2005045765.tif 000005
【図４】
2005045765.tif 000006
【図５】
2005045765.tif 000007
【図６】
2005045765.tif 000008